(57)【要約】【課題】粒径をより小さくしつつ冷風の吹出し量を多くする細霧冷房装置を得る。【解決手段】散布用水が送り出される２つの水用ポリタンク１８の上部の箇所に空気を圧送するための圧送ポンプ２０が設置される。圧送ポンプ２０の上部における筐体１６内の箇所に、空気を外部に送り出すためのシロッコファン２６が設置される。さらに、筐体１６内には水用電磁弁３２及びストレーナ３４が配置され、その上側の筐体１６内の箇所に霧を作り出す噴射ノズル３６が設置される。筐体１６の背面側から噴射ノズル３６の上面側にかけた部分に空気を配送するためのダクト４４が設けられ、シロッコファン２６から送り出された空気が、このダクト４４に沿って送られた後に、噴射ノズル３６の存在する部分及び送風口２４を通過して筐体１６外に送り出される。【選択図】  図１
2010266140.tif 000002
【特許請求の範囲】
【請求項１】
散布用水が送り出される送水源と、
気体を圧送するポンプと、
送水源から送り出された散布用水及びポンプにより圧送された気体を同時に吹き出して霧を作り出す噴射ノズルと、
空気を送り出して噴射ノズルで作り出された霧をこの空気と共に放出する送風機と、
を備えたことを特徴とする細霧冷房装置。
【請求項２】
噴射ノズルを複数有し、各噴射ノズルで霧を作り出すことを特徴とする請求項１記載の細霧冷房装置。
【請求項３】
噴射ノズルが揺動可能に支持され、この噴射ノズルの向きを変化させて霧の噴射方向を変化させることを特徴とする請求項１或いは請求項２に記載の細霧冷房装置。
【発明の詳細な説明】
【技術分野】
【０００１】
本発明は、粒径をより小さくしつつ、冷風の吹出し量を多くし得る細霧冷房装置に関し、例えば夏季の屋内や半屋外で冷房を実施する細霧冷房装置に好適なものである。
【背景技術】
【０００２】
従来、夏季の屋内や半屋外で冷房を実施するために細霧を用いた細霧冷房装置が知られていた。この細霧冷房装置用の技術として、例えば２つの流体ノズルからそれぞれ噴射した水を衝突させて水を微細化して噴霧する技術が、下記の特許文献１に開示されている。
【０００３】
他方、下記の特許文献２には、微粒化ノズル、送風機、水用のタンク及び筐体等を有した構造の細霧冷房装置が開示されていて、この微粒化ノズルから水を微細化して噴霧するようになっていた。但し、これら特許文献１，２に示された従来の細霧冷房装置では、吹出される冷風が弱く清涼感に欠けていた為、更に冷房能力を高めたいとの要請が強かった。
【先行技術文献】
【特許文献】
【０００４】
【特許文献１】特許３５６３０６７号公報
【特許文献２】実用新案登録３０９７９４１号公報
【発明の概要】
【発明が解決しようとする課題】
【０００５】
しかしながら、特許文献１、２に示された構造を基に、吹出し冷風量を多くすることで冷房能力を高めるような種々の構造の変形が考えられるが、細霧冷房装置が大型化したり、或いは製造コストが増大したりして、実用的なものは存在していなかった。更に、従来の細霧冷房装置では、霧の粒径が１５〜２０μｍ程度と比較的大きなものとなっていて、霧により衣服が濡れたりする虞をも有していた。
【０００６】
本発明は上記事実を考慮し、粒径をより小さくしつつ冷風の吹出し量を多くし得る細霧冷房装置を提供することを目的とする。
【課題を解決するための手段】
【０００７】
請求項１に係る細霧冷房装置は、散布用水が送り出される送水源と、
気体を圧送するポンプと、
送水源から送り出された散布用水及びポンプにより圧送された気体を同時に吹き出して霧を作り出す噴射ノズルと、
空気を送り出して噴射ノズルで作り出された霧をこの空気と共に放出する送風機と、
を備えたことを特徴とする。
【０００８】
請求項１に係る細霧冷房装置の作用を以下に説明する。
本請求項の細霧冷房装置では、散布用水が送り出される送水源から送り出された散布用水及び、気体を圧送するポンプにより圧送された気体を噴射ノズルが同時に吹き出して、霧を噴射するように作り出すことになる。また、送風機が空気を送り出して噴射ノズルで作り出された霧をこの空気に乗せつつ装置外に放出するようになっている。
【０００９】
従って、本請求項の細霧冷房装置によれば、散布用水及び気体を噴射ノズルが同時に吹き出すことで、粒径がより小さい霧が発生し、更に送風機が空気を送り出すに伴いこの霧が積極的に遠方まで送り出されるようになる。この結果として、この霧の量を多くすることができるだけでなく、この霧が含まれた空気の流れである冷風の吹出し量も多くなる。
【００１０】
請求項２に係る細霧冷房装置の作用を以下に説明する。
本請求項に係る細霧冷房装置は請求項１と同一の作用を奏する。但し、本請求項では、噴射ノズルを複数有し、各噴射ノズルで霧を作り出すという構成を有している。
【００１１】
つまり、本請求項によれば、複数存在する噴射ノズルでそれぞれ霧を作り出し、これに合わせて送風機が送り出す空気量を増やすようにすれば、冷風の吹出し量が更に多くなる。
【００１２】
請求項３に係る細霧冷房装置の作用を以下に説明する。
本請求項に係る細霧冷房装置は請求項１及び請求項２と同一の作用を奏する。但し、本請求項では、噴射ノズルが揺動可能に支持され、この噴射ノズルの向きを変化させて霧の噴射方向を変化させるという構成を有している。
【００１３】
つまり、本請求項によれば、揺動可能に支持された噴射ノズルが向きを変化させて霧を噴射するのに伴って、方向が変化されながら霧が噴射されることから、より広範囲に冷風が吹出されるようになる。
【発明の効果】
【００１４】
以上説明したように本発明の上記構成によれば、粒径をより小さくしつつ冷風の吹出し量を多くし得る細霧冷房装置を提供できるという優れた効果をも有する。
【図面の簡単な説明】
【００１５】
【図１】本発明の第１の実施の形態に係る細霧冷房装置を示す分解斜視図である。
【図２】本発明の第１の実施の形態に係る細霧冷房装置に適用される噴射ノズルを示す拡大図であって、（Ａ）は正面図であり、（Ｂ）は側面図である。
【図３】本発明の第２の実施の形態に係る細霧冷房装置を示す正面図である。
【図４】本発明の第２の実施の形態に係る細霧冷房装置に適用される噴射ノズルの揺動を示す拡大図であって、（Ａ）は左側に首振りした状態を示す図であり、（Ｂ）は右側に首振りした状態を示す図である。
【図５】本発明の第３の実施の形態に係る細霧冷房装置を示す分解斜視図である。
【図６】本発明の第３の実施の形態に係る細霧冷房装置を示す概略部品配置図であって、（Ａ）は正面図であり、（Ｂ）は側面図である。
【図７】本発明の第３の実施の形態に係る細霧冷房装置の要部を示す斜視図である。
【発明を実施するための形態】
【００１６】
本発明に係る細霧冷房装置の第１の実施の形態を図１及び図２に示し、これらの図に基づき本実施の形態を説明する。
本実施の形態に係る細霧冷房装置１０は、図１に示すように骨組みとされるフレーム１２や、それぞれ外壁を形成する上下壁板１４Ａ、側壁板１４Ｂ及び吹出しカバー１４Ｃで、筐体１６が構成されている。この筐体１６の下部寄りの部分には、散布用水が送り出される送水源である２つの水用ポリタンク１８が設置されており、この水用ポリタンク１８の上部とされる筐体１６内の箇所に、気体である空気を圧送するためのポンプである圧送ポンプ２０が設置されている。
【００１７】
尚、本実施の形態の細霧冷房装置１０の正面部分を構成する吹出しカバー１４Ｃの下部には、吸い込みグリル２２が形成され、また、この吹出しカバー１４Ｃの上部には、空気の吹出し口となる送風口２４が貫通して設けられている。さらに、この圧送ポンプ２０の上部における筐体１６内の箇所には、空気を外部に送り出すための送風機であるシロッコファン２６が設置されている。
【００１８】
そして、これら圧送ポンプ２０及びシロッコファン２６に対応する側壁板１４Ｂや吹出しカバー１４Ｃの内側部分には、板状の防音材２８が設置されていて、圧送ポンプ２０やシロッコファン２６が発生する音の外部への漏れをこの防音材２８が軽減している。但し、吹出しカバー１４Ｃに対応する防音材２８は圧送ポンプ２０やシロッコファン２６のカバーともされている。
【００１９】
他方、このシロッコファン２６の上側とされる筐体１６内の箇所には、水の流量を調整する水用電磁弁３２及びストレーナ３４が配置されていて、更にその上側の筐体１６内の箇所に噴射ノズル３６が設置されている。
【００２０】
つまり、水用電磁弁３２の開放時には、これら水用電磁弁３２及びストレーナ３４を介して、水用ポリタンク１８内の水が負圧を利用して噴射ノズル３６に送り込まれるようになっている。これに伴って、水中の異物やゴミをストレーナ３４がろ過しつつ必要量の水を水用電磁弁３２が通過させて、噴射ノズル３６に送り込まれるようになっている。
【００２１】
また、水用電磁弁３２と隣り合った箇所には、圧送ポンプ２０から送り込まれた空気の流量を制御するためのエア用電磁弁３８が設置されており、ストレーナ３４と隣り合った箇所には、異物を排除したり圧力を一定とするフィルタ・レギュレータ４０が設置されていて、このエア用電磁弁３８の開放時には、これらエア用電磁弁３８及びフィルタ・レギュレータ４０を介して、空気が噴射ノズル３６に送り込まれるようになっている。
【００２２】
図２に示すように、この噴射ノズル３６には、噴出口３７を有するチップ本体３６Ａの他、このチップ本体３６Ａの上側に繋がって空気が導入されるエア導入部３６Ｂ及び、このチップ本体３６Ａに直列的に設けられて散布用水が導入される水導入部３６Ｃが存在していて、散布用水及び気体が導入されて噴出口３７から噴射されるようになっている。従って、この噴射ノズル３６に水と空気が送り込まれて、これらが混合されて噴霧されることになるため、５μｍ程度の粒径の霧がこの噴射ノズル３６から発生することになる。
【００２３】
但し、この噴射ノズル３６は、噴射ノズル３６を揺動させる本実施の形態においては図示しないクランク機構を介してフレーム１２に設置されており、このフレーム１２上に設置されたギアドモータ４２がクランク機構を動作することで、噴射ノズル３６が首振りしつつ噴霧するようになっている。
【００２４】
これとは別に、筐体１６の背面側から噴射ノズル３６の上面側にかけた部分には、空気を配送するためのダクト４４が設けられており、シロッコファン２６から送り出された空気が、このダクト４４に沿って送られた後に、噴射ノズル３６の存在する部分及び送風口２４を通過して筐体１６外に送り出されるようになっている。尚、本実施の形態においては、フレーム１２上に電気部品箱４６が設置されていて、側壁板１４Ｂに操作部扉４８が開閉可能に設けられている。
【００２５】
次に、本実施の形態に係る細霧冷房装置１０の作用を以下に説明する。
本実施の形態の細霧冷房装置１０では、散布用水が貯められる水用ポリタンク１８から送り出された散布用水及び、圧送ポンプ２０により圧送された気体である空気を噴射ノズル３６が同時に吹き出して、霧を噴射するように作り出すことになる。
【００２６】
また、噴射ノズル３６が揺動可能に支持され、この噴射ノズル３６が向きを変化させるのに伴い霧の噴射方向を変化させるだけでなく、シロッコファン２６が空気を送り出して噴射ノズル３６で作り出された霧をこの空気に乗せつつ細霧冷房装置１０外に放出するようになっている。
【００２７】
以上より、本実施の形態の細霧冷房装置１０によれば、散布用水及び空気を噴射ノズル３６が同時に吹き出すことで、粒径がより小さい霧が発生し、更にシロッコファン２６が空気を送り出すに伴い、シロッコファン２６から送り出された空気に乗り、この霧が積極的に遠方まで送り出されるようになる。この結果として、この霧の量を多くすることができるだけでなく、この霧が含まれた空気の流れである冷風の吹出し量も多くなる。
【００２８】
この際、揺動可能に支持された噴射ノズル３６が向きを変化させて霧を噴射するのに伴い、方向が変化されながら霧が噴射されて、この霧が送風口２４から細霧冷房装置１０外に送り出されることから、より広範囲に冷風が吹出されるようになる。
【００２９】
次に、本発明に係る細霧冷房装置の第２の実施の形態を図３及び図４に示し、これらの図に基づき本実施の形態を説明する。尚、第１の実施の形態で説明した部材と同一の部材には同一の符号を付して、重複した説明を省略する。
本実施の形態に係る細霧冷房装置１０は、第１の実施の形態とほぼ同様の構造とされているが、図３及び図４に示すように霧を作り出す噴射ノズル３６が複数である２つ存在する構造とされている。そして、これら２つの噴射ノズル３６は、ブラケット５２の両側に支持されていて、このブラケット５２ごと揺動されるようになっている。
【００３０】
つまり、本実施の形態によれば、図４に示すように、回転中心５４Ａ、この回転中心５４Ａ廻りに回転する第１リンク５４Ｂ及び、この第１リンク５４Ｂに繋がって揺動する第２リンク５４Ｃから構成されるクランク機構５４が、ブラケット５２を介して噴射ノズル３６を揺動することになる。
【００３１】
そして、フレーム１２上に設置されたギアドモータ４２がクランク機構５４を動作することで、図４（Ａ）の二点鎖線で示す状態と図４（Ｂ）の二点鎖線で示す状態との間で噴射ノズル３６が首振りしつつ噴霧することになるが、噴射ノズル３６を２つとしたことで各噴射ノズル３６により霧を作り出すのに伴って、噴霧量を増加できるようになる。
【００３２】
以上の結果として、本実施の形態の細霧冷房装置１０によれば、複数存在する噴射ノズル３６でそれぞれ霧を作り出し、これに合わせてシロッコファン２６が送り出す空気量を増やすようにすれば、冷風の吹出し量が更に多くなる。
【００３３】
次に、本発明に係る細霧冷房装置の第３の実施の形態を図５から図７に示し、これらの図に基づき本実施の形態を説明する。尚、第１の実施の形態で説明した部材と同一の部材には同一の符号を付して、重複した説明を省略する。
本実施の形態に係る細霧冷房装置１０は、第１の実施の形態とほぼ同様の構造とされているが、本実施の形態では、図５及び図６に示すように、水用ポリタンク１８を用いる替りに水道水を水道管６０から直接送り込んで使う構造とされている。つまり、この水道管６０が散布用水を送り出す送水源と本実施の形態ではされている。この他、図７に示すように、噴射ノズル３６が３つ存在し、これに伴ってダクト４４の開口端が広がる形の吹出しガイド４４Ａとされる構造ともされている。
【００３４】
具体的には、図５及び図６に示すように、筐体１６の下部に水道管に接続するためのホースニップル６２及び手動ボールバルブ６４が設置されており、これに繋がる塩ビパイプ６６にストレーナ６８、水用電磁弁７０及びレギュレータ７２が設置されている。そして、このレギュレータ７２から３つの噴射ノズル３６に配管７３を介してそれぞれ水道水が送り込まれるようになっている。
【００３５】
さらに、第１の実施の形態と同様に、細霧冷房装置１０の吹出しカバー１４Ｃの下部に吸い込みグリル２２が形成され、上部に送風口２４が貫通して設けられているが、本実施の形態では、パンチングメタルによるガード材７４がこの送風口２４にはめ込まれている。そして、この吹出しカバー１４Ｃの吸い込みグリル２２と送風口２４との間の部分には、外部への表示用のバックライトパネル７６が設置されている。
【００３６】
尚、本実施の形態では、図５に示すように細霧冷房装置１０の上部及び下部にそれぞれドレンパン７８が設置されていて、下側の上下壁板１４Ａにはアンカーボルトの固定用の固定板８０が設置されている他、補強板８２が筐体１６の上部に配置されている。
【００３７】
次に、本実施の形態に係る細霧冷房装置１０の作用を以下に説明する。
本実施の形態の細霧冷房装置１０によれば、水用ポリタンク１８が水道管６０とされているものの、第１の実施の形態と同様に、散布用水及び空気を噴射ノズル３６が同時に吹き出すことで、粒径がより小さい霧が発生し、更にシロッコファン２６が空気を送り出すに伴い、このシロッコファン２６から送り出された空気に乗り、この霧が積極的に遠方まで送り出されるようになる。この結果として、第１の実施の形態と同様に、この霧の量を多くすることができるだけでなく、この霧が含まれた空気の流れである冷風の吹出し量も多くなる。
【００３８】
尚、上記実施の形態では、噴射ノズルを１つから３つとしたが、４つ以上の複数としても良い。さらに、上記各実施の形態では、噴射ノズルがクランク機構により揺動可能に支持されていたが、クランク機構以外の公知な機構により揺動しても良く、また噴射ノズルを固定した構造としても良い。
【産業上の利用可能性】
【００３９】
本発明は、夏季の屋内や半屋外で冷房を実施するのに利用可能となり、例えば駅のホーム、イベント会場、工場等を冷房するのに利用できるものである。
【符号の説明】
【００４０】
１０    細霧冷房装置
１８    水用ポリタンク（送水源）
２０    圧送ポンプ（ポンプ）
２６    シロッコファン（送風機）
３６    噴射ノズル
４２    ギアドモータ
５４    クランク機構
６０    水道管（送水源）
【図１】
2010266140.tif 000003
【図２】
2010266140.tif 000004
【図３】
2010266140.tif 000005
【図４】
2010266140.tif 000006
【図５】
2010266140.tif 000007
【図６】
2010266140.tif 000008
【図７】
2010266140.tif 000009